(57)【特許請求の範囲】
【請求項１】
芯材と、外覆部材と、支持部材とを備えており、外覆部材は、弾性を有するとともに芯材の外周を覆うものであり、支持部材は、芯材及び躯体への固定部をそれぞれ有しており、躯体から芯材を持ち出して支持するものであり、芯材は、外覆部材と当接する外周部を肉抜きして空隙形成部を設け、外覆部材と芯材との間に空隙を形成し、
外覆部材は、その周壁の一部が長手方向に連続して分断する断面ほぼＣ字状をなしており、外覆部材の周壁の分断された両端部には、係合部がそれぞれ設けてあり、周壁と係合部とで、周壁の分断部の反対側に向けて開口する溝部を形成していて、溝部は開口側から底側に向けて拡幅する蟻溝としてあり、
芯材は、支持部材の取付溝を有しており、取付溝の縁部に沿って被係合部が設けてあり、被係合部は、取付溝側に向けて屈曲しかつ先端側に向けて拡幅する蟻型としてあり、外覆部材の溝部に嵌まり、係合部を係合するものであることを特徴とする手摺。
【請求項２】
前記溝部は、溝の両側壁面のうち係合部側の側壁面が開口方向に対して平行であり、外覆部材の周壁側の側壁面が開口方向に対して傾斜していることを特徴とする請求項１に記載の手摺。
【発明の詳細な説明】
【技術分野】
【０００１】
本発明は、歩行者が掴む箇所に弾性を有する手摺に関するものである。
【背景技術】
【０００２】
例えば、特開２０１２−１２２２９５号公報に開示されるような手摺では、手で掴む部位である外覆部材が弾性を有する素材で成形されている。
【先行技術文献】
【特許文献】
【０００３】
【特許文献１】特開２０１２−１２２２９５号公報
【発明の概要】
【発明が解決しようとする課題】
【０００４】
上記のような手摺は、歩行者が掴んだときに、外覆部材が弾性を有することにより、手に柔らかな感触を得られるものであった。しかしながら、このような手摺は、金属製の芯材の外周に外覆部材を配置する構造であることから、芯材の角部の外周部と外覆部材とが密接に当接する。これにより、芯材と外覆部材との接触箇所は弾性を失って固くなることから、手摺を掴んだときの触り心地が非常に悪くなり、さらに、歩行者が手摺を掴んだときに滑りやすくなって安定性も失われてしまう。したがって、この種の手摺本来の機能が充分に発揮されない問題点があった。
本発明は、上記課題を鑑みてなされたものであり、歩行者が掴んだときに柔らかな感触を充分に得られるとともに、使用時の安定性を確保できる手摺を提供することにある。
【課題を解決するための手段】
【０００５】
本発明のうち請求項１記載の発明は、芯材と、外覆部材と、支持部材とを備えており、外覆部材は、弾性を有するとともに芯材の外周を覆うものであり、支持部材は、芯材及び躯体への固定部をそれぞれ有しており、躯体から芯材を持ち出して支持するものであり、芯材は、外覆部材と当接する外周部を肉抜きして空隙形成部を設け、外覆部材と芯材との間に空隙を形成し、外覆部材は、その周壁の一部が長手方向に連続して分断する断面ほぼＣ字状をなしており、外覆部材の周壁の分断された両端部には、係合部がそれぞれ設けてあり、周壁と係合部とで、周壁の分断部の反対側に向けて開口する溝部を形成していて、溝部は開口側から底側に向けて拡幅する蟻溝としてあり、芯材は、支持部材の取付溝を有しており、取付溝の縁部に沿って被係合部が設けてあり、被係合部は、取付溝側に向けて屈曲しかつ先端側に向けて拡幅する蟻型としてあり、外覆部材の溝部に嵌まり、係合部を係合するものであることを特徴とする。
【０００６】
本発明のうち請求項２記載の発明では、前記溝部は、溝の両側壁面のうち係合部側の側壁面が開口方向に対して平行であり、外覆部材の周壁側の側壁面が開口方法に傾斜していることを特徴とする。
【発明の効果】
【０００７】
本発明のうち請求項１記載の発明によれば、芯材は、外覆部材と当接する外周部を肉抜きして空隙形成部を設け、芯材と外覆部材との間に空隙が形成される。これにより、手摺を掴んだときに、手に柔らかな感触が得られ掴み心地が向上するとともに、指が手摺の外覆部材へ弾性的に食い込むことによる手摺の安定性を確保することができる。また、外覆部材の溝部は開口側から底側に向けて拡幅する蟻溝としてあり、芯材の被係合部は、取付溝側に向けて屈曲しかつ先端側に向けて拡幅する蟻型としてあり、外覆部材の溝部に嵌まり、係合部を係合するため、芯材から外覆部材が外れにくい。
【０００８】
本発明のうち請求項２記載の発明によれば、前記溝部は、溝の両側壁面のうち係合部側の側壁面が開口方向に平行であることから、被係合部が係合部を乗り越えやすくしてあるので、外覆部材を芯材に取り付けやすい。また、外覆部材の周壁側の側壁面は傾斜して蟻溝状としてあることで、請求項１と同様、芯材へ取り付けた後に外覆部材が外れにくい構造となる。
【図面の簡単な説明】
【０００９】
【図１】本実施による手摺の使用状態を示す縦断面図である。
【図２】本実施による手摺の（ａ）は芯材の斜視図であり、（ｂ）は、芯材の縦断面図であり、（ｃ）は、外覆部材の斜視図であり、（ｄ）は、外覆部材の縦断面図である。
【図３】本実施による手摺を歩行者が掴んだときの状態を示す縦断面図である。
【図４】本実施による手摺の全体を示す斜視図である。
【発明を実施するための最良の形態】
【００１０】
以下、本発明の手摺の実施形態を図面に基づいて説明する。
本実施による手摺は、図１と図４に示すように、室内通路の躯体壁（支持体）Ｗに取り付けたものである。また、本手摺は、図１と図２（ａ）〜（ｄ）に示すように、芯材１と、外覆部材２と、支持部材３とから構成してある。
【００１１】
支持部材３は、図１を参照すれば、躯体壁Ｗに固定する躯体固定部３ａと芯材１に固定する芯材固定部３ｂをそれぞれ有しており、躯体固定部３ａから芯材固定部３ｂが通路側に持ち出されたほぼＬ字型をなしている。そして、上記の躯体固定部３ａをネジなどの固定具で躯体壁Ｗに固定したときに、支持部材３の芯材固定部３ｂが通路側に突出する。
【００１２】
外覆部材２は、図２（ｃ）（ｄ）のように、弾性を備えるように樹脂の押出成形により形成してある。また、上記の外覆部材２は、その周壁の一部が長手方向に連続して分断する断面ほぼＣ字状をなしており、さらに、外覆部材２の周壁の分断された両端部には、周壁内周側に向かって突出した鉤状をなす係合部２ａ，２ａがそれぞれ設けてある。そして、係合部２ａ，２ａは、後述するが芯材１の被係合部４，４にそれぞれ係合することができる。
【００１３】
芯材１は、図２（ａ）（ｂ）のように、長尺な中空押出形材からなっており、その断面形状は、ほぼ円形のソリッド形状をなしている。また、芯材１の開口部が支持部材３の取付溝５を形成している。また、芯材１の内周部には、取付溝５から挿入された支持部材３の被取付部を有している。さらに、芯材１の取付溝５の縁部に沿って被係合部４，４が設けてある。被係合部４，４は、外覆部材２の係合部２ａ，２ａを係合して、芯材１から外覆部材２が外れにくい構造としている。さらに、芯材１の外周部のうち、上側部と、左右両側部と、取付溝５を挟んだ両側部のそれぞれの箇所を肉抜きして空隙形成部Ｒを有している。上記の芯材１の被係合部４，４に、外覆部材２の係合部２ａ，２ａを係合して外覆部材２で芯材１の外周を覆うことで、外覆部材２と芯材１の間に空隙形成部Ｒを設けた各箇所で複数の空隙Ｓが形成される。また、上記の芯材１と外覆部材２との取り付けは、芯材１の外周部に外覆部材２を被せ、芯材１の被係合部４，４の長手方向のほぼ全長に亘って外覆部材２の係合部２ａ，２ａを係合することで完成する。これにより、図３のように歩行者が手摺を掴んだときに手Ｈの触れる外覆部材２が、上記の各空隙Ｓのある複数の箇所で弾性変形して凹み、歩行者が掴んだ手Ｈと指Ｐが外覆部材２の外周部に柔らかく食い込む。
【００１４】
上記のように構成される支持部材３、外覆部材２、芯材１の各構成部材で手摺を形成することにより、以下に示す作用、効果を奏する。      
図３のように、外覆部材２と芯材１との間に形成された空隙Ｓにより、歩行者が本実施による手摺の外覆部材２を掴んだときに、指Ｐのいずれかで空隙Ｓを覆う外覆部材２の外周部を押さえることになる。これにより、歩行者は、手摺を掴んだときに外覆部材２から弾力のある柔らかな感触が得られる。さらに、本実施による手摺は、芯材１の下部両側の箇所をそれぞれ肉抜きして形成した空隙形成部Ｒがあり、外覆部材２における支持部材３の挿し込まれている両側の箇所に空隙Ｓがそれぞれ設けられている。このことから、歩行者が手摺を掴んだときに、押圧力が最もかかる指Ｐの先が外覆部材２の外周部にかかる箇所に空隙Ｓが設けられる。したがって、歩行者が手摺を掴んだときに、芯材１の固い感触を伝えることがなく、手摺を掴んだときの柔らかな感触のよさと、指Ｐの先が手摺の外覆部材２へ弾性的に食い込むことによる手摺本来の安定性の両方を確保することができる。
【００１５】
本発明の手摺は、上記実施形態で説明した歩行者の進路に沿って配置されるほぼ一直線状の手摺の他、通路の方向や段差等に対応して取り付けるコーナー用の手摺にも適用できる。また、芯材１は、上記実施形態では断面ほぼ円形状の形材を肉抜きしたものであるが、外覆部材２との間に空隙Ｓが形成される形状であればよい。さらに、芯材１と外覆部材２との間に形成される空隙Ｓは、少なくとも歩行者の指Ｐの先にかかる箇所に設けてあればよい。また、外覆部材２の材質についても、上記実施形態では塩化ビニル樹脂を使用しているが、一般的なこの種の手摺に適した弾性や耐候性、耐久性、可撓性を有する素材であれば、素材を限定するものではない。支持部材３は、手摺と支持体Ｗとの距離を保ち、歩行者が手摺を掴みやすくするものであればよい。また、支持体Ｗは、上記実施形態では躯体壁に手摺を設けてあるが、通路から起立する支柱に手摺を設けてもよい。
【符号の説明】
【００１６】
１  芯材
２  外覆部材
２ａ  係合部
３  支持部材
３ａ  躯体固定部
３ｂ  芯材固定部
４  被係合部
５  取付溝
Ｈ  手
Ｌ  通路
Ｐ  指
Ｒ  空隙形成部
Ｗ  躯体壁（支持体）
Ｓ  空隙
【図１】
0006280887.tif 000002
【図２】
0006280887.tif 000003
【図３】
0006280887.tif 000004
【図４】
0006280887.tif 000005